(57)【要約】【課題】発生臭気を強制排気する場合の、冷暖房効果の低下及び消費エネルギーの増加を防ぐことができるダクト式換気システムを提供する。【解決手段】建物内に複数設けられた還気ゾーン２ａ，２ｂの還気口４ａ，４ｂより還気ダクト７ａ，７ｂ，９を経て給気ゾーン１６ａ，１６ｂからの空気を還流させる換気ユニット１を有するダクト式換気システムにおいて、前記換気ユニットを定風量型のものにすると共に、前記各還気ゾーンの還気口と前記換気ユニットとの間を接続する各還気ダクトの経路中に設けられた電動ダンパー５ａ，５ｂと、前記各換気ゾーンに配置された臭気センサ３ａ，３ｂと、前記臭気センサにより臭気を検知した場合には、臭気が検知された還気ゾーン以外のすべての還気ゾーンに接続された電動ダンパーを全閉するように制御する制御回路６とを設けている。【選択図】図２
2006064323.tif 000002
【特許請求の範囲】
【請求項１】
建物内に複数設けられた還気ゾーンの還気口より還気ダクトを経て給気ゾーンからの空気を還流させる換気ユニットを有するダクト式換気システムにおいて、前記換気ユニットを定風量型のものにすると共に、前記各還気ゾーンの還気口と前記換気ユニットとの間を接続する各還気ダクトの経路中に設けられた電動ダンパーと、前記各換気ゾーンに配置された臭気センサと、前記臭気センサにより臭気を検知した場合には、臭気が検知された還気ゾーン以外のすべての還気ゾーンに接続された電動ダンパーを全閉するように制御する制御回路とを設けたことを特徴とするダクト式換気システム。
【請求項２】
前記換気ユニットを定風量可変型のものにすると共に、前記複数の還気ゾーンのうちの所定数以上に臭気が発生した場合には、前記制御回路により前記換気ユニットの定風量を増加させるようにしたことを特徴とする請求項１に記載のダクト式換気システム。
【発明の詳細な説明】
【技術分野】
【０００１】
本発明は、臭気センサにより検知された汚染空気を建物外へ排気する、２４時間計画換気システムなどに好適なダクト式換気システムに関するものである。
【背景技術】
【０００２】
従来、ダクトないし室内を流路として常時連続して強制換気する２４時間計画換気システムが知られている（特許文献１及び２参照）。
【０００３】
ダクト式計画換気システムの場合、建物内の特定ゾーン（例えば台所など）において一時的に空気汚染が発生すると、人為的に、もしくは空気質を監視するセンサを有する制御回路によって、換気ユニットの風量を増加させる方法、もしくは窓を開けて換気を促進させる方法をとってきた。
【特許文献１】特開２００１−２５４９８０号公報
【特許文献１】特開２００３−２４０２８６号公報
【発明の開示】
【発明が解決しようとする課題】
【０００４】
しかしながら、換気ユニットの風量を増加させる方法や、窓を開けて換気を促進させる方法をとる場合には、換気ユニットの送風動力の増加、導入外気量の増加による冷暖房効果の低下並びに室内快適性の低下等の問題点があった。
【０００５】
また、この場合、臭気発生場所の特定ができない場合があり、臭気が臭気発生ゾーンより拡散してしまい、臭気の排出に要する時間が長くなる可能性もある。
【０００６】
（発明の目的）
本発明の第１の目的は、発生臭気を強制排気する場合の、冷暖房効果の低下及び消費エネルギーの増加を防ぐことができるダクト式換気システムを提供することである。
【０００７】
本発明の第２の目的は、所定数以上の還気ゾーンにて同時に臭気発生が起きた場合には、より早く臭気を排気することができるダクト式換気システムを提供することである。
【課題を解決するための手段】
【０００８】
上記第1の目的を達成するために、請求項１に記載の本発明は、建物内に複数設けられた還気ゾーンの還気口より還気ダクトを経て給気ゾーンからの空気を還流させる換気ユニットを有するダクト式換気システムにおいて、前記換気ユニットを定風量型のものにすると共に、前記各還気ゾーンの還気口と前記換気ユニットとの間を接続する各還気ダクトの経路中に設けられた電動ダンパーと、前記各換気ゾーンに配置された臭気センサと、前記臭気センサにより臭気を検知した場合には、臭気が検知された還気ゾーン以外のすべての環気ゾーンに接続された電動ダンパーを全閉するように制御する制御回路とを設けたことを特徴とするものである。
【０００９】
また、上記第２の目的を達成するために、請求項２に記載の本発明は、請求項１に記載のダクト式換気システムにおいて、前記換気ユニットを定風量可変型のものにすると共に、前記複数の還気ゾーンのうちの所定数以上に臭気が発生した場合には、前記制御回路により前記換気ユニットの定風量を増加させるようにしたことを特徴とするものである。
【発明の効果】
【００１０】
請求項１に記載の本発明によれば、発生臭気を強制排気する場合の、冷暖房効果の低下及び消費エネルギーの増加を防ぐことができる。
【００１１】
さらに、請求項２に記載の本発明によれば、所定数以上の還気ゾーンにて同時に臭気発生が起きた場合には、より早く臭気を排気することができる。
【発明を実施するための最良の形態】
【００１２】
本発明を実施するための最良の形態は、後述する実施例に記載の通りである。
【実施例】
【００１３】
図１は本発明の一実施例であるダクト式換気システムを示す図である。この実施例は還気ゾーンが２つの場合を想定している。１は例えば屋根裏などに設置される定風量型の換気ユニットである。定風量型とは送風機からの吐出風量が設定された風量となるように送風機の回転速度等を制御する機能を持ったものである。そして、定風量型ではあるが、その定風量が強と通常（或いは大、中、小）に切り換えられるものがよい。２ａ，２ｂは例えば台所やトイレなどの還気ゾーンで、これらの還気ゾーン２ａ，２ｂにはそれぞれ臭気センサ３ａ，３ｂ及び還気口４ａ，４ｂが設けられている。５ａ，５ｂは電動ダンパーであり、換気ユニット１と還気口４ａ，４ｂの間を接続する各還気ダクトの経路中に設けられている。６はマイクロコンピュータなどからなる制御回路であり、強制排気モードでは臭気センサ３ａ，３ｂの検知結果により電動ダンパー５ａ，５ｂの開閉度及び換気ユニット１の定風量の切換を制御するものである。電動ダンパー５ａ，５ｂは通常運転では予め設定された通常の開閉度（例えば全開の１／２）に制御回路６により制御される。なお、強制排気モードが人為的なモード切換操作により通常排気モードに切り換えられた場合には、制御回路６は臭気センサ３ａ，３ｂの検知結果に関係なく、電動ダンパー５ａ，５ｂの開閉度及び換気ユニット１の定風量を通常運転の状態に制御する。
【００１４】
図１の実施例を第１種計画換気システムに採用した場合のシステム構成例を図２に示す。図１と同じ部分は同一符号にて示している。電動ダンパー５ａ，５ｂが設けられた還気ダクト７ａ，７ｂは分岐チャンバー８及び還気ダクト９により換気ユニット１の還気側に接続される。換気ユニット１は省エネルギー性、室内快適性を考慮し、熱回収式のものが好適である。換気ユニット１は熱回収をした後の排気を排気出口１０より排出する。また、換気ユニット１は外気入口１１より外気を導入し、回収した熱を伝えた後、給気側の給気ダクト１２、分岐チャンバー１３及び給気ダクト１４ａ，１４ｂを経て給気口１５ａ，１５ｂから給気ゾーン１６ａ，１６ｂ（例えば居間、寝室など）に送る。給気ゾーン１６ａ，１６ｂの給気は建物内のドアや廊下を通って還気ゾーン２ａ，２ｂに流入し、還気ゾーン２ａ，２ｂより還気として還気口４ａ，４ｂを経て還流する。
【００１５】
図１の実施例は第３種計画換気システムに採用されることもできる。この場合には、給気は自然給気となるので、換気ユニット１は機械給気機能がないものでよい。
【００１６】
次に、制御回路６の強制排気モードでの動作を図３のフローチャートにより説明する。強制排気モードで通常運転の場合、ステップＳ１で臭気センサ３ａ，３ｂにより各還気ゾーン２ａ，２ｂの臭気を監視する。ステップＳ２にて閾値を越えた還気ゾーンがあるか否かを判別し、なしの場合には引き続き臭気監視を行うが、閾値を越えた還気ゾーンがあると、ステップＳ３にて閾値を越えた還気ゾーンを臭気センサ３ａ，３ｂの検知結果に基づいて特定する。例えば還気ゾーン２ｂの臭気センサ３ｂにより閾値を越えた臭気が検知されたとすると、制御回路６はステップＳ４において還気ゾーン２ａに接続された電動ダンパー５ａの開閉度を全閉に、還気ゾーン２ｂに接続された電動ダンパー５ｂの開閉度を全開に決定し、そして、換気ユニット１のファン運転モードを通常に決定する。ステップＳ５にて制御回路６は決定した開閉度を電動ダンパー５ａ，５ｂに指示し、決定したファン運転モードを換気ユニット１に指示する。電動ダンパー５ａ，５ｂ及び換気ユニット１は指示に従い、ステップＳ６にて電動ダンパー５ａ，５ｂ及び換気ユニット１は指示に従った結果をそれぞれ制御回路６に通知する。
【００１７】
したがって、臭気が検知された還気ゾーン２ｂのみが定風量により集中的に排気されるので、臭気の拡散を抑え、臭気排出を短時間で完了することができる。また、このとき、臭気が発生していない還気ゾーン２ａは電動ダンパー５ａを全閉としているので、冷暖房効果の低下を防ぐことができる。さらに、換気ユニット１の定風量を増加させていないので、消費エネルギーの増加を防ぐことができる。
【００１８】
また、風量を増加させると、経路の圧力損失が増加して、換気ユニット全体の風量としては減少し、換気に必要な所定風量を確保できなくなる可能性があるが、換気ユニット１に定風量型のものを採用しているので、所定風量を確保することができる。その結果、ダクト設計において、必要最小限のダクトサイズでの設計が可能となり、施工簡便性やダクトスペースの省スペース化にも貢献することができる。
【００１９】
ステップＳ３にて還気ゾーン２ａ，２ｂの臭気が共に閾値を越えていると特定された場合には、より早い臭気の排出が最も必要であるので、制御回路６は電動ダンパー５ａ，５ｂの開閉度を共に全開にし、そして、換気ユニット１のファン運転モードを強に、すなわち増加した定風量に切り換える。これにより、より早い臭気の排出が達成される。
【００２０】
ステップＳ７では臭気センサ３ａ，３ｂによる臭気監視を引き続き継続し、ステップＳ８にて還気ゾーン２ａ，２ｂの臭気が閾値を越えているか否かを判別し、閾値を越えている還気ゾーンがなくなった時には、ステップＳ９にて電動ダンパー５ａ，５ｂ及び換気ユニット１を通常運転に復帰させ、ステップＳ１に戻る。
【００２１】
閾値を越えた還気ゾーンがまだ存在すると、ステップＳ１０にて閾値を越えた還気ゾーンを臭気センサ３ａ，３ｂの検知結果に基づいて特定する。そして、ステップＳ１０で特定した還気ゾーンがステップＳ３で特定した還気ゾーンから変化しているか否かをステップＳ１１にて判別する。変化していなければ、ステップＳ７に戻り、閾値を越えた還気ゾーンがなくなるまでステップＳ７〜Ｓ１１を繰り返す。変化していれば、新たな臭気が異なる還気ゾーンに発生したことであるから、制御回路６はステップＳ１２において臭気が発生していない還気ゾーンに接続された電動ダンパーの開閉度を全閉に、臭気が発生した還気ゾーンに接続された電動ダンパーの開閉度を全開に決定し、そして、換気ユニット１のファン運転モードを通常に決定し、ステップＳ１３にて決定した開閉度を電動ダンパー５ａ，５ｂに指示し、決定したファン運転モードを換気ユニット１に指示する。電動ダンパー５ａ，５ｂ及び換気ユニット1は指示に従い、ステップＳ１４にてその結果を制御回路６に通知する。そして、ステップＳ７に戻る。
【００２２】
以上の説明は、還気ゾーンが２つの場合であるが、これに限られるものではなく、還気ゾーンが３以上でもよい。図４は還気ゾーンが４つの場合の電動ダンパー５ａ〜５ｄの開閉度と換気ユニット１の定風量の組み合わせの一例を示す図である。
【００２３】
ケース１ではどの還気ゾーンでも閾値を越えた臭気が発生していないので、すべての電動ダンパー５ａ〜５ｄの開閉度は通常位置に制御回路６により制御される。
【００２４】
ケース２，３，５，９のように、どれか１つの還気ゾーンで閾値を越えた臭気が発生した場合には、臭気が発生した還気ゾーンの電動ダンパーの開閉度は全開に、その以外の還気ゾーンの電動ダンパーの開閉度は全閉にそれぞれ制御され、換気ユニット１の風量は通常の定風量に制御される。
【００２５】
ケース４，６，７，１０，１１，１３のように、どれか２つの還気ゾーンで閾値を越えた臭気が発生した場合にも、臭気が発生した還気ゾーンの電動ダンパーの開閉度は全開に、その以外の還気ゾーンの電動ダンパーの開閉度は全閉にそれぞれ制御され、換気ユニット１の風量は通常の定風量に制御される。
【００２６】
ケース８，１２，１４，１５のように、どれか３つの還気ゾーンで閾値を越えた臭気が発生した場合には、臭気が発生した還気ゾーンの電動ダンパーの開閉度は全開に、その以外の還気ゾーンの電動ダンパーの開閉度は全閉にそれぞれ制御され、換気ユニット１の風量は増加した定風量に切り換えられる。
【００２７】
ケース１６のように、すべて（４つ）の還気ゾーンで閾値を越えた臭気が発生した場合には、すべての電動ダンパーの開閉度は全開に制御され、換気ユニット１の風量は増加した定風量に切り換えられる。
【図面の簡単な説明】
【００２８】
【図１】本発明の一実施例であるダクト式換気システムを示すブロック図である。
【図２】図１の実施例を第１種計画換気システムに採用した場合のシステム構成例を示す図である。
【図３】図１の制御回路の動作を示すフローチャートである。
【図４】還気ゾーンが４つの場合の本発明の実施例の動作を示す図である。
【符号の説明】
【００２９】
１              換気ユニット
２ａ，２ｂ      還気ゾーン
３ａ，３ｂ      臭気センサ
４ａ，４ｂ      還気口
５ａ，５ｂ      電動ダンパー
６              制御回路
７ａ，７ｂ      還気ダクト
８              分岐チャンバー
９              還気ダクト
１０            排気出口
１１            外気入口
１２            給気ダクト
１３            分岐チャンバー
１４ａ，１４ｂ  給気ダクト
１５ａ，１５ｂ  給気口
１６ａ，１６ｂ  給気ゾーン
【図１】
2006064323.tif 000003
【図２】
2006064323.tif 000004
【図３】
2006064323.tif 000005
【図４】
2006064323.tif 000006